(57)【要約】    【課題】  高い観察倍率で画像表示面の画像を観察可能で、諸収差を良好に補正し高い光学性能を確保しつつ、製造が容易な接眼光学系を得ること。    【解決手段】  画像表示面に表示された画像を観察するための接眼光学系であって、画像表示面から観察側へ順に配置された、正の屈折力の第１レンズ、負の屈折力の第２レンズ、正の屈折力の第３レンズを有し、第１レンズの焦点距離ｆ１、第３レンズの焦点距離ｆ３、第１レンズの観察側のレンズ面の曲率半径Ｌ１Ｒ２、第２レンズの画像表示面側のレンズ面の曲率半径Ｌ２Ｒ１を各々適切に設定すること。【選択図】    図１
2019101205.tif 000002
【特許請求の範囲】
【請求項１】
画像表示面に表示された画像を観察するための接眼光学系であって、前記画像表示面から観察側へ順に配置された、正の屈折力の第１レンズ、負の屈折力の第２レンズ、正の屈折力の第３レンズを有し、
前記第１レンズの焦点距離をｆ１、前記第３レンズの焦点距離をｆ３、前記第１レンズの観察側のレンズ面の曲率半径をＬ１Ｒ２、前記第２レンズの画像表示面側のレンズ面の曲率半径をＬ２Ｒ１とするとき、
０．４５０≦ｆ１／ｆ３≦０．８８０
０．１６０＜（Ｌ２Ｒ１−Ｌ１Ｒ２）／（Ｌ２Ｒ１＋Ｌ１Ｒ２）≦０．２９４
なる条件式を満足することを特徴とする接眼光学系。
【請求項２】
前記第１レンズと前記第２レンズの光軸上の間隔をｄ３、前記第２レンズと前記第３レンズの光軸上の間隔をｄ５とするとき、
０．００≦ｄ５／ｄ３≦２．００
なる条件式を満たすことを特徴とする請求項１に記載の接眼光学系。
【請求項３】
前記第３レンズの観察側に正又は負の屈折力の第４レンズを有することを特徴とする請求項１又は２に記載の接眼光学系。
【請求項４】
前記第１レンズは両凸形状からなり、前記第２レンズの画像表示面側のレンズ面は凹形状であり、前記第３レンズは両凸形状よりなることを特徴とする請求項１乃至３のいずれか１項に記載の接眼光学系。
【請求項５】
画像を表示する画像表示素子と、該画像表示素子の画像表示面に表示される画像を観察するために用いられる請求項１乃至４のいずれか１項に記載の接眼光学系を有することを特徴とする観察装置。
【請求項６】
前記画像表示素子の画像表示面の対角線長の半分をＰＮとするとき、
０．２５＜ＰＮ／ｆ＜０．５５
なる条件式を満たすことを特徴とする請求項５に記載の観察装置。
【発明の詳細な説明】
【技術分野】
【０００１】
本発明は、接眼光学系及びそれを有する観察装置に関する。
【背景技術】
【０００２】
従来、電子ビューファインダー（観察装置）においては、液晶画面等の画像表示素子に表示された画像を拡大観察する為に接眼光学系が用いられている。
【０００３】
この接眼光学系には、画像表示面の視認性を高めるために、十分に広い視野（高い観察倍率）と、十分に長い愛レリーフ、収差が良好に補正された光学性能を有すること等が要望されている。更に観察装置の小型化の要望より、観察装置に用いる画像表示素子は小さな寸法（例えば対角長で２０ｍｍ以下）であることが要求されている。
【０００４】
従来、観察倍率の高い接眼光学系が種々と提案されている（特許文献１乃至３）。特許文献１では、画像表示素子側より観察側に向かって、正の屈折力の第１レンズ、負の屈折力の第２レンズ、正の屈折力の第３レンズよりなる接眼光学系を開示している。また、特許文献２では、負の屈折力のレンズ群と、正の屈折面のレンズ群よりなり、非球面を利用した内視鏡用接眼レンズを開示している。
【０００５】
また、特許文献３では、画像表示素子側より観察側へ順に、観察側のレンズ面が凸形状で、正の屈折力の第１レンズ、負の屈折力の第２レンズ、正の屈折力の第３レンズからなる接眼光学系を開示している。特許文献３では高い観察倍率を有しつつ、長いアイレリーフを有する接眼光学系を開示している。
【先行技術文献】
【特許文献】
【０００６】
【特許文献１】特開２０１０−１７５７９５号公報
【特許文献２】特開平０５−３１３０７３号公報
【特許文献３】特開２０１３−１５２２９０号公報
【発明の概要】
【発明が解決しようとする課題】
【０００７】
観察装置に用いられる接眼光学系において、観察倍率が高く、しかもアイレリーフを長く確保するには、接眼光学系のレンズ構成及び各レンズの屈折力等を適切に設定することが重要になってくる。この他、小型の画像表示面を有する画像表示素子を用いるときは、画像表示面の大きさに対する接眼光学系の屈折力の比等を適切に設定することが重要になってくる。
【０００８】
特許文献１に開示された接眼光学系は、負の屈折力の第２レンズと正の屈折力の第３レンズとの間の形状を規定することで、コマ収差、歪曲収差を良好に補正している。しかしながら、高倍率化すると像面湾曲が増大する傾向があった。特許文献２で開示された接眼光学系は、非球面を使用することによってレンズ枚数を減らしているが、高屈折率のガラス材よりなる非球面レンズを多用しているため、製造が難しくなる傾向があった。
【０００９】
また、特許文献３に開示された接眼光学系は、最も観察側のレンズ面の曲率とレンズ有効径との比を適切に設定して、小型化と、高倍率を図りつつ長いアイレリーフを確保している。しかしながら、高倍率化のために最終レンズ面のレンズ面の曲率が小さくなると、長いアイレリーフを得るのが困難となり、また長いアイレリーフを確保しようとするとレンズ有効径が増大し、全系の小型化が困難になる傾向がある。
【００１０】
本発明は、高い観察倍率で画像表示面の画像を観察可能で、諸収差を良好に補正し高い光学性能を確保しつつ、製造が容易な接眼光学系の提供を目的としている。
【課題を解決するための手段】
【００１１】
本発明の接眼光学系は、画像表示面に表示された画像を観察するための接眼光学系であって、前記画像表示面から観察側へ順に配置された、正の屈折力の第１レンズ、負の屈折力の第２レンズ、正の屈折力の第３レンズを有し、前記第１レンズの焦点距離をｆ１、前記第３レンズの焦点距離をｆ３、前記第１レンズの観察側のレンズ面の曲率半径をＬ１Ｒ２、前記第２レンズの画像表示面側のレンズ面の曲率半径をＬ２Ｒ１とするとき、
０．４５０≦ｆ１／ｆ３≦０．８８０
０．１６０＜（Ｌ２Ｒ１−Ｌ１Ｒ２）／（Ｌ２Ｒ１＋Ｌ１Ｒ２）≦０．２９４
なる条件式を満足することを特徴としている。
【発明の効果】
【００１２】
本発明によれば、高い観察倍率で画像表示面の画像を観察可能で、諸収差を良好に補正し高い光学性能を確保しつつ、製造が容易な接眼光学系が得られる。
【図面の簡単な説明】
【００１３】
【図１】実施例１に係る接眼光学系の構成を示す断面図
【図２】実施例１に係る接眼光学系の各収差図
【図３】実施例２に係る接眼光学系の構成を示す断面図
【図４】実施例２に係る接眼光学系の各収差図
【図５】実施例３に係る接眼光学系の構成を示す断面図
【図６】実施例３に係る接眼光学系の各収差図
【図７】実施例４に係る接眼光学系の構成を示す断面図
【図８】実施例４に係る接眼光学系の各収差図
【図９】実施例５に係る接眼光学系の構成を示す断面図
【図１０】実施例５に係る接眼光学系の各収差図
【図１１】実施例６に係る接眼光学系の構成を示す断面図
【図１２】実施例６に係る接眼光学系の各収差図
【発明を実施するための形態】
【００１４】
以下、実施例にかかる接眼光学系及びそれを有する観察装置について説明する。本発明の接眼光学系は、画像表示面に表示された画像を観察するための接眼光学系である。接眼光学系は画像表示面から観察側へ順に配置された、正の屈折力の第１レンズ、負の屈折力の第２レンズ、正の屈折力の第３レンズを有する。第３レンズの観察側に正又は負の屈折力の第４レンズを有していても良い。
【００１５】
図１は本発明の接眼光学系の実施例１のレンズ断面図である。図２は本発明の接眼光学系の実施例１の視度が−１．０ディオプター（標準視度）における収差図である。
【００１６】
図３は本発明の接眼光学系の実施例２のレンズ断面図である。図４は本発明の接眼光学系の実施例２の視度が−１．０ディオプターにおける収差図である。
【００１７】
図５は本発明の接眼光学系の実施例３のレンズ断面図である。図６は本発明の接眼光学系の実施例３の視度が−１．０ディオプターにおける収差図である。
【００１８】
図７は本発明の接眼光学系の実施例４のレンズ断面図である。図８は本発明の接眼光学系の実施例４の視度が−１．０ディオプターにおける収差図である。
【００１９】
図９は本発明の接眼光学系の実施例５のレンズ断面図である。図１０は本発明の接眼光学系の実施例５の視度が−１．０ディオプターにおける収差図である。
【００２０】
図１１は本発明の接眼光学系の実施例６のレンズ断面図である。図１２は本発明の接眼光学系の実施例６の視度が−１．０ディオプターにおける収差図である。
【００２１】
各実施例の接眼光学系は、デジタルカメラやビデオカメラ等の撮像装置の電子ビューファインダー（観察装置）に用いられる。レンズ断面図において左方は画像表示面側、右方は観察側（射出瞳側）である。レンズ断面図においてＬ０は接眼光学系である。Ｌｉは第ｉレンズである。ＩＰは液晶又は有機ＥＬ等よりなる画像表示素子の画像表示面である。ＥＰは観察のための観察面（アイポイント）（射出瞳）である。ＣＧ１はカバーガラスである。
【００２２】
各収差図のうち球面収差図において、実線のｄはｄ線（波長５８７．６ｎｍ）、点線のＦはＦ線（波長４８６．１ｎｍ）を示す。非点収差図においてΔＳｄ（実線）はｄ線のサジタル像面、ΔＭｄ（破線）はｄ線のメリディオナル像面を示す。ΔＳＦ（一点鎖線）はＦ線のサジタル像面、ΔＭＦ（二点鎖線）はＦ線のメリディオナル像面を示す。歪曲はｄ線について示している。倍率色収差はＦ線について示している。Ｈは画像表示面の対角線長の半分（最大像高）である。数値は後述する数値データをｍｍ単位で表したときの値である。
【００２３】
画像表示素子の画像表示面の対角線長が約２０ｍｍ以下の小型の画像表示面（表示パネル）を大きな観察視野（視野角約３０度以上）で観察するためには、接眼光学系全体で強い正の屈折力（パワー）を持つ必要がある。そのためには、接眼光学系を構成する各レンズに強い正の屈折力、負の屈折力が必要になる。そうすると多く場合、像面湾曲、倍率色収差が増大し、これらの諸収差の補正が難しくなる。
【００２４】
そこで、各実施例に係る接眼光学系では、各レンズ断面図に示すように、画像表示面ＩＰ側（物体側）より観察面（アイポイント）ＥＰ側に順に、３つのレンズを有するようにしている。具体的には、正の屈折力の第１レンズＬ１、負の屈折力の第２レンズＬ２、正の屈折力の第３レンズＬ３を有するようにしている。尚、第３レンズの観察側に正又は負の屈折力の第４レンズＬ４を有していても良い。
【００２５】
各実施例において観察面ＥＰは、画像表示面ＩＰの最周辺からの光線が観測者の瞳を通過する範囲内であれば光軸方向に移動しても良い。また、レンズ最終面（図１、図５、図７、図９、図１１では第３レンズＬ３、図３では第４レンズＬ４の観察側のレンズ面）から観察面ＥＰまでの距離をアイレリーフとする。カバーガラスは画像表示面ＩＰやレンズを保護するプレートであり、画像表示面ＩＰからレンズの間やレンズと観察面ＥＰの間に設けても良いし、また必ずしも設置しなくても良い。
【００２６】
各実施例において視度補正は接眼光学系Ｌ０全体を移動して行っている。各実施例の接眼光学系Ｌ０は、画像表示面に表示された画像を観察するための接眼光学系である。接眼光学系Ｌ０は、画像表示面側から観察側へ順に配置された、正の屈折力の第１レンズＬ１、負の屈折力の第２レンズＬ２、正の屈折力の第３レンズＬ３を有する。第１レンズＬ１の焦点距離をｆ１、第３レンズＬ３の焦点距離をｆ３、第１レンズＬ１の観察側のレンズ面の曲率半径をＬ１Ｒ２、第２レンズＬ２の画像表示面側のレンズ面の曲率半径をＬ２Ｒ１とする。
【００２７】
このとき、
０．４５０≦ｆ１／ｆ３≦０．８８０    ・・・（１）
０．１６０＜（Ｌ２Ｒ１−Ｌ１Ｒ２）／（Ｌ２Ｒ１＋Ｌ１Ｒ２）≦０．２９４
・・・（２）
なる条件式を満足する。
【００２８】
次に前述の各条件式の技術的意味について説明する。条件式（１）は、第１レンズＬ１と第３レンズＬ３の焦点距離の比を規定している。条件式（１）の上限を超えると、すなわち、第３レンズＬ３の正の屈折力が強くなりすぎると、広視野は得られやすくなるが、所定の長さのアイレリーフの確保が困難となる。また、下限値を下回ると、第１レンズＬ１の屈折力が強くなるため、第１レンズＬ１から第２レンズＬ２へ入る光線の入射高の変化が大きくなりすぎ、像面湾曲が増大し、この収差の補正が困難になる。
【００２９】
条件式（２）は、第１レンズＬ１と第２レンズＬ２の間で形成される空気レンズの形状を規定している。条件式（２）は高倍率を保ちつつ像面湾曲を良好に補正する為のものである。本構成では、高倍率を得るために第１レンズＬ１から射出される光線を、第２レンズＬ２で跳ね上げている。この条件式（２）の、下限値を下回ると第１レンズＬ１と、第２レンズＬ２の間で光線の曲がりが急になりすぎる為、諸収差の補正、特に像面湾曲の補正が困難になる。また上限値を上回ると光線の跳ね上げが不十分になり、高倍率を得られるのが困難になる。
【００３０】
好ましくは条件式（１）、（２）の数値範囲を次の如く設定するのが良い。
【００３１】
０．４５５≦ｆ１／ｆ３≦０．８７０    ・・・（１ａ）
０．１６５＜（Ｌ２Ｒ１−Ｌ１Ｒ２）／（Ｌ２Ｒ１＋Ｌ１Ｒ２）≦０．２９０
・・・（２ａ）
【００３２】
更に好ましくは条件式（１ａ）、（２ａ）の数値範囲を次の如く設定するのが良い。
０．４６０≦ｆ１／ｆ３≦０．８５５    ・・・（１ｂ）
０．１７０＜（Ｌ２Ｒ１−Ｌ１Ｒ２）／（Ｌ２Ｒ１＋Ｌ１Ｒ２）≦０．２８５
・・・（２ｂ）
【００３３】
各実施例の接眼光学系において好ましくは次の条件式を満足するのが良い。第１レンズＬ１と第２レンズＬ２の光軸上の間隔をｄ３、第２レンズＬ２と第３レンズＬ３の光軸上の間隔をｄ５とする。このとき、
０．００≦ｄ５／ｄ３≦２．００    ・・・（３）
なる条件式を満たすことが良い。
【００３４】
条件式（３）は第１レンズＬ１と第２レンズＬ２の間隔に対する第２レンズＬ２と第３レンズＬ３の間隔の比を規定する。条件式（３）は大きな視野角を得つつ、倍率色収差を良好に補正するためのものである。この条件式（３）の上限値を超えると、すなわち第２レンズＬ２と第３レンズＬ３の間隔が大きくなると、倍率色収差の補正が困難になる。また、第１レンズＬ１と第２レンズＬ２の間隔が狭くなると第２レンズＬ２へ入射する光線の入射角がきつくなり、特に物高の高いところでの像面湾曲が増加する。
【００３５】
条件式（３）の下限値を下回ると、第１レンズＬ１と第２レンズＬ２の間隔が広がり、第２レンズに入射する光線の入射高さが低くなる為、光線を跳ね上げ高視野角化することが困難になる。
【００３６】
好ましくは条件式（３）の数値範囲を次の如く設定するのが良い。
０．００≦ｄ５／ｄ３≦１．５０    ・・・（３ａ）
【００３７】
更に好ましくは条件式（３ａ）の数値範囲を次の如く設定するのが良い。
０．００≦ｄ５／ｄ３≦１．００    ・・・（３ｂ）
【００３８】
各実施例において、第３レンズＬ３の観察側に正又は負の屈折力の第４レンズを有していても良い。また、第１レンズＬ１は両凸形状よりなり、第２レンズＬ２の画像表示面側のレンズ面は凹形状であり、第３レンズＬ３は両凸形状よりなることが良い。これによれば、諸収差の補正が容易となり、高い光学性能が容易に得られる。
【００３９】
各実施例によれば、以上の諸条件を満足することにより視野角が十分大きく、像面湾曲、倍率色収差を始めとする諸収差が十分に補正された接眼光学系が容易に得られる。また各実施例において、画像を表示する画像表示素子と、画像表示素子の画像表示面に表示される画像を観察するために用いられる接眼光学系を有する観察装置においては次の条件式を満足するのが良い。
【００４０】
画像表示素子の画像表示面の対角線長の半分をＰＮとする。このとき、
０．２５＜ＰＮ／ｆ＜０．５５    ・・・（４）
なる条件式を満足することが良い。
【００４１】
条件式（４）は、画像表示素子の画像表示面の有効面の対角長さの半分と全系の焦点距離の比を規定している。条件式（４）は所定の長さのアイレリーフを確保しつつ、高倍率を確保するためのものである。この条件式（４）の上限を超えると全系の焦点距離が短くなる為、高倍率化には有利だが、高い光学性能の確保が難しくなる。下限値を下回ると、全系の屈折力（パワー）が弱くなり、高倍率を確保することが難しくなる。
【００４２】
好ましくは条件式（４）の数値範囲を次の如く設定するのが良い。
０．２５＜ＰＮ／ｆ＜０．５０    ・・・（４ａ）
【００４３】
更に好ましくは条件式（４ａ）の数値範囲を次の如く設定するのが良い。
０．２５＜ＰＮ／ｆ＜０．４５    ・・・（４ｂ）
【００４４】
以下に本発明の各実施例に対応する数値データを示す。数値データにおいて、ωは視度が−１ディオプター（標準視度）時の見かけ視野（半画角）を示す。画像表示面ＩＰから観察側ＥＰへ順に「ｒｉ」は第ｉ番目の面の近軸曲率半径を示す。ｒ０は表示パネル（画像表示面）である。数値データ１、３乃至６においてｒ７、ｒ８はカバーガラス、数値データ２においてｒ９、ｒ１０はカバーガラスである。
【００４５】
ｄｉは画像表示面ＩＰから順に第ｉ番目の面と第ｉ＋１番目の面との間の軸上面間隔を示す。さらに、Ｎｄｉは第ｉ番目の材料のｄ線（波長＝５７８．６ｎｍ）に対する屈折率を示し、νｄｉは第ｉ番目の材料のｄ線に対するアッベ数を示す。
【００４６】
なお、数値データでは、記載されている長さの単位は、特記の無い場合［ｍｍ］が使われている。ただし、接眼光学系は、比例拡大または比例縮小しても同等の光学性能が得られるので、単位は［ｍｍ］に限定されることなく、他の適当な単位を用いることが出来る。なお、数値データにおいて近軸曲率半径の欄に「＊」の添え字が書かれている面は次の数１式によって定義される非球面形状である。
【００４７】
【数１】
2019101205.tif 000003
【００４８】
なお、（数１）において、xはレンズ面の頂点からの光軸方向の距離、hは光軸と垂直な方向の高さ、Rはレンズ面の頂点での近軸曲率半径、kは円錐定数、c2、c4、c6、c8は多項式係数である。非球面係数において、「Ｅ−ｉ」は１０を底とする指数表現、すなわち「１０−ｉ」を表している。各数値データにおける前述の各条件式の計算結果を表１に示す。  以上、本発明の好ましい実施形態について説明したが、本発明はこれらの実施形態に限定されず、その要旨の範囲内で種々の変形及び変更が可能である。
【００４９】
［数値データ１］
全体緒元
焦点距離        画像表示面対角長        ２ω[°]
16.2                9.9                34.2
レンズデータ
面   近軸曲率半径          軸上面間隔     屈折率（Nd） アッベ数（νd）
r0    表示パネル    d1        可変                    
r1     128.76      d2        3.97         1.851         40.1 
r2*    -10.20      d3        2.03                     
r3*     -6.54      d4        2.70         1.636         23.9 
r4    -600.00      d5        0.56                     
r5      30.20      d6        6.50         1.535         55.7 
r6*     -9.87      d7        可変                    
r7       0.00      d8        0.80         1.492         57.4 
r8       0.00      d9       19.00                     
EP
非球面係数
ｋ        C2        C4        C6         C8
r2*         0.0         0.0    1.42E-04   8.96E-07     0.0
r3*        -8.16E-01    0.0    2.75E-05   0.0          0.0
r6*        -2.35E+00    0.0   -1.54E-04   1.00E-06   -2.10E-09
可変間隔
視度[dpt]      0        -3       +1       -1
ｄ１        7.70     6.89     7.96     7.44 
ｄ７        1.47     2.28     1.21     1.73 
【００５０】
［数値データ２］
全体緒元
焦点距離        画像表示面対角長        ２ω[°]
14.7                9.9                36.6
レンズデータ
面   近軸曲率半径          軸上面間隔   屈折率（Nd）  アッベ数（νd）
r0    表示パネル    d1        可変                    
r1     22.07       d2        4.36         1.535         56.0 
r2*    -9.92       d3        2.70                     
r3*    -5.72       d4        3.11         1.636         23.9 
r4    -15.04       d5        0.22                     
r5     26.99       d6        3.49         1.535         56.0 
r6     -34.56      d7        0.23                     
r7     230.09      d8        3.67         1.535         56.0 
r8*    -16.03      d9        可変                    
r9       0.00      d10       0.70         1.492         57.4 
r10      0.00      d11      18.00                     
EP
非球面係数
ｋ        C2        C4           C6        C8
r2*  0.0         0.0      1.91E-04      0.0       0.0
r3* -1.00E+00    0.0     -2.29E-04      0.0       0.0
r8*  0.0         0.0      1.71E-04      0.0       0.0
可変間隔
視度[dpt]      0        -3       +1       -1
ｄ１          5.01     4.33     5.22      4.79 
ｄ９          1.23     1.90     1.01      1.45 
【００５１】
［数値データ３］
全体緒元
焦点距離        画像表示面対角長        ２ω[°]
16.3                9.9                34.3
レンズデータ
面   近軸曲率半径          軸上面間隔   屈折率（Nd）  アッベ数（νd）
r0    表示パネル   d1        可変              
r1     82.89      d2        5.93      1.694           53.2 
r2*   -10.11      d3        2.78               
r3*    -6.27      d4        1.75      1.636           23.9 
r4    -25.61      d5        0.23               
r5    183.26      d6        6.56      1.694           53.2 
r6*   -11.34      d7        可変              
r7      0.00      d10       0.80      1.492           57.4 
r8      0.00      d11      24.00               
EP                                   
非球面係数
ｋ        C2        C4           C6        C8
r2*   0.0        0.0    1.10E-04     1.16E-06    0.0
r3*  -1.14E+00   0.0   -1.94E-04     1.08E-06   -1.73E-08
r6*  -9.43E-01   0.0    2.66E-05     4.53E-08   -1.71E-10
可変間隔
視度[dpt]      0        -3       +1       -1
ｄ１         6.72      5.89     6.98      6.45 
ｄ７         1.57      2.40     1.31      1.83 
【００５２】
［数値データ４］
全体緒元
焦点距離        画像表示面対角長        ２ω[°]
23.8               16.8                38.1
レンズデータ
面   近軸曲率半径          軸上面間隔   屈折率（Nd）  アッベ数（νd）
r0    表示パネル   d1        可変              
r1     27.08      d2        5.91      1.532           55.8 
r2*   -13.65      d3        3.33               
r3*    -7.62      d4        3.00      1.636           23.9 
r4    -29.81      d5        2.44               
r5     39.56      d6        6.50      1.532           55.8 
r6*   -15.35      d7        可変              
r7      0.00      d10       0.80      1.492           57.4 
r8      0.00      d11      18.00               
EP                                   
非球面係数
ｋ        C2        C4           C6        C8
r2*  0.0         0.0     9.51E-05     0.0         0.0
r3* -7.21E-01    0.0     8.62E-05     3.50E-07    0.0
r6*  0.0         0.0     8.99E-05     9.10E-08    0.0
可変間隔
視度[dpt]      0        -3       +1       -1
ｄ１          11.17      9.43    11.73     10.59 
ｄ７           1.47      3.21     0.91      2.05 
【００５３】
［数値データ５］
全体緒元
焦点距離        画像表示面対角長        ２ω[°]
16.3               12.6                41.6
レンズデータ
面   近軸曲率半径          軸上面間隔   屈折率（Nd）  アッベ数（νd）
r0    表示パネル   d1         可変              
r1     27.29      d2         6.08      1.851         40.1 
r2*   -15.21      d3         3.19               
r3*    -9.53      d4         2.80      1.651         21.5 
r4    477.19      d5         0.30               
r5    220.12      d6         7.13      1.768         49.2 
r6*   -13.95      d7         可変              
r7      0.00      d10        0.80      1.492         57.4 
r8      0.00      d11       22.00               
EP                                   
非球面係数
ｋ        C2        C4           C6        C8
r2*   0.0        0.0     1.31E-04     0.0          0.0
r3*  -2.04E+00   0.0    -6.75E-05     0.0          0.0
r6*  -1.98E+00   0.0    -3.38E-05     4.01E-08     0.0
可変間隔
視度[dpt]      0        -3       +1       -1
ｄ１         7.75      6.91     8.01      7.49 
ｄ７         1.72      2.57     1.46      1.99 
【００５４】
［数値データ６］
全体緒元
焦点距離        画像表示面対角長        ２ω[°]
18.7               12.6                36.8
レンズデータ
面   近軸曲率半径          軸上面間隔   屈折率（Nd）  アッベ数（νd）
r0     表示パネル  d1        可変              
r1     57.01      d2        5.17      1.694          53.2 
r2*   -10.79      d3        2.28               
r3*    -7.39      d4        2.80      1.636          23.9 
r4    -31.15      d5        0.96               
r5    489.04      d6        6.50      1.532          55.8 
r6*   -11.46      d7        可変              
r7      0.00      d10       0.80      1.492          57.4 
r8      0.00      d11      24.00               
EP                                   
非球面係数
ｋ        C2        C4           C6        C8
r2*  -2.04E+00   0.0    -8.12E-06      0.0         0.0
r3*  -1.06E+00   0.0     3.60E-05     -1.20E-06    0.0
r6*  -1.84E+00   0.0    -6.06E-05      5.62E-08    0.0
可変間隔
視度[dpt]      0        -3       +1       -1
ｄ１         9.14      8.05      9.48     8.79 
ｄ７         1.26      2.35      0.91     1.61 
【００５５】
【表１】
2019101205.tif 000004
【符号の説明】
【００５６】
Ｌ０  接眼光学系      Ｌ１  第１レンズ      Ｌ２  第２レンズ
Ｌ３  第３レンズ      Ｌ４  第４レンズ
【図１】
2019101205.tif 000005
【図２】
2019101205.tif 000006
【図３】
2019101205.tif 000007
【図４】
2019101205.tif 000008
【図５】
2019101205.tif 000009
【図６】
2019101205.tif 000010
【図７】
2019101205.tif 000011
【図８】
2019101205.tif 000012
【図９】
2019101205.tif 000013
【図１０】
2019101205.tif 000014
【図１１】
2019101205.tif 000015
【図１２】
2019101205.tif 000016
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
画像表示面に表示された画像を観察するための接眼光学系であって、前記画像表示面から観察側へ順に配置された、正の屈折力の第１レンズ、負の屈折力の第２レンズ、正の屈折力の第３レンズを有し、
前記第１レンズの焦点距離をｆ１、前記第３レンズの焦点距離をｆ３、前記第１レンズの観察側のレンズ面の曲率半径をＬ１Ｒ２、前記第２レンズの画像表示面側のレンズ面の曲率半径をＬ２Ｒ１とするとき、
０．４５０≦ｆ１／ｆ３≦０．８８０
０．１６０＜（Ｌ２Ｒ１−Ｌ１Ｒ２）／（Ｌ２Ｒ１＋Ｌ１Ｒ２）≦０．２９４
なる条件式を満足することを特徴とする接眼光学系。
【請求項２】
前記第１レンズと前記第２レンズの光軸上の間隔をｄ３、前記第２レンズと前記第３レンズの光軸上の間隔をｄ５とするとき、
０．００≦ｄ５／ｄ３≦２．００
なる条件式を満たすことを特徴とする請求項１に記載の接眼光学系。
【請求項３】
前記第３レンズの観察側に正又は負の屈折力の第４レンズを有することを特徴とする請求項１又は２に記載の接眼光学系。
【請求項４】
前記第１レンズは画像表示面側および観察側の面が凸形状であることを特徴とする請求項１乃至３のいずれか１項に記載の接眼光学系。
【請求項５】
前記第２レンズの画像表示面側のレンズ面は凹形状であることを特徴とする請求項１乃至４のいずれか１項に記載の接眼光学系。
【請求項６】
前記第３レンズは画像表示面側および観察側の面が凸形状であることを特徴とする請求項１乃至５のいずれか１項に記載の接眼光学系。
【請求項７】
画像を表示する画像表示素子と、該画像表示素子の画像表示面に表示される画像を観察するために用いられる請求項１乃至６のいずれか１項に記載の接眼光学系を有することを特徴とする観察装置。
【請求項８】
前記画像表示素子の画像表示面の対角線長の半分をＰＮとするとき、
０．２５＜ＰＮ／ｆ＜０．５５
なる条件式を満たすことを特徴とする請求項７に記載の観察装置。
【手続補正２】
【補正対象書類名】明細書
【補正対象項目名】０００３
【補正方法】変更
【補正の内容】
【０００３】
この接眼光学系には、画像表示面の視認性を高めるために、十分に広い視野（高い観察倍率）と、十分に長いアイレリーフ、収差が良好に補正された光学性能を有すること等が要望されている。更に観察装置の小型化の要望より、観察装置に用いる画像表示素子は小さな寸法（例えば対角長で２０ｍｍ以下）であることが要求されている。
【手続補正３】
【補正対象書類名】明細書
【補正対象項目名】００３８
【補正方法】変更
【補正の内容】
【００３８】
各実施例において、第３レンズＬ３の観察側に正又は負の屈折力の第４レンズを有していても良い。また、第１レンズＬ１は画像表示面及び観察側の面が凸形状よりなり、第２レンズＬ２の画像表示面側のレンズ面は凹形状であり、第３レンズＬ３は画像表示面及び観察側の面が凸形状よりなることが良い。これによれば、諸収差の補正が容易となり、高い光学性能が容易に得られる。